(57)【要約】【課題】チャート紙が重なった状態で送り出されたことを発見できるようにする。【解決手段】予め、チャート紙１２０の両側部に、山折の折り目の同士の間に亘って、交互に帯状のマーク１２１Ａ、１２１Ｂを記しておく。通常に紙送りがされた場合には、山折の折り目を境にチャート紙１２０の異なる側にマーク１２１Ａ，１２１Ｂが観察され、重なりが生じた場合には、山折の折り目の上下で同じ側にマーク１２１Ａ、１２１Ｂが観察される。【選択図】図３
2010091344.tif 000002
【特許請求の範囲】
【請求項１】
記録計により山谷交互に折畳まれた記録紙を順次送り出しながら記録を行う際に、前記記録紙の折り目が折り畳まれたままの状態で送り出されていないかどうかを判定する方法であって、
予め、前記記録紙の記録面が山折りとなる折り目（以下、山折の折り目という）の間の領域の一つおきに、当該領域の、前記記録紙の送り方向全長に亘るマークを記しておき、
前記記録計により送り出される前記記録紙の山折の折り目を挟んだ紙面の両方において前記マークが確認される場合及び前記両方において前記マークが確認されない場合に、前記記録紙の折り目が折り畳まれたままの状態で送り出されていると判定することを特徴とする記録紙の紙送り異常判定方法。
【請求項２】
請求項１記載の記録紙の異常判定方法において、
前記マークは前記記録紙の一方の側部に記されており、
前記記録紙の他方の側部には、前記一方の側部に前記マークが記されていない領域において、当該領域の、前記記録紙の送り方向全長に亘る他のマークを記しておくことを特徴とする記録紙の紙送り異常判定方法。
【請求項３】
記録計により山谷交互に折畳まれた記録紙を順次送り出しながら記録を行う際に、前記記録紙の折り目が折り畳まれたままの状態で送り出されていないかどうかを判定する方法であって、
予め、前記記録紙の記録面が山折となる折り目（以下、山折の折り目という）の一つおきに、当該山折の折り目を挟んだ両側の紙面にマークを記しておき、
前記記録計により送り出される前記記録紙の山折の折り目を挟んだ紙面の何れか一方において前記マークが確認される場合に、前記記録紙の折り目が折り畳まれたままの状態で送り出されていると判定することを特徴とする記録紙の紙送り異常判定方法。
【請求項４】
山谷交互に折畳まれ、記録計により順次送り出しながら記録される記録紙であって、
山折の折り目の間の領域の一つおきに、当該領域の、前記記録紙の送り方向全長に亘るマークが記されていることを特徴とする記録紙。
【請求項５】
山谷交互に折畳まれ、記録計により順次送り出しながら記録される記録紙であって、
前記記録紙の山折の折り目の一つおきに、当該山折の折り目を挟んだ両側の紙面にマークが記されていることを特徴とする記録紙。
【発明の詳細な説明】
【技術分野】
【０００１】
本発明は、山谷交互に折畳まれ、記録計により記録を行われる記録紙の重なりが生じているか否かを判定する方法及びこの方法に用いられる記録紙に関する。
【背景技術】
【０００２】
従来より、発電所などの設備では、運転状態の異常の有無を監視するため、圧力、温度、出力電力等を測定し、これら測定されたデータは記録計によりチャート紙に連続的に記録している。このようなチャート紙としては図９に示すような、山谷交互に折り畳まれたチャート紙２０が用いられることがある。
【０００３】
なお、本願出願人は、このようなチャート紙に記録する記録装置に関して、チャート紙の一端側に形成された開口に向けて光を発光し、開口を通った光が受光された時間に基づき、紙切れの有無を判定する機構を有する装置を提案している（例えば、特許文献１参照）。
【特許文献１】特開２００８−１８５５６６号公報
【発明の開示】
【発明が解決しようとする課題】
【０００４】
ここで、このようなチャート紙はほぐしが不十分であると、チャート紙が折り目で折り畳まれたままの状態（すなわち、谷状の折り目を挟む紙面が密着した状態）で送り出されることがある。このような状態でチャート紙が送り出されてしまうと、チャート紙のデータが連続的なものでなくなり、時間とデータの整合性が取れなくなってしまう。
そこで、従来、目視によりチャート紙の重なりの有無を確認しているが、紙面が密着していると目視でチャート紙の重なりを発見するのは困難である。
【０００５】
本発明は、上記の問題に鑑みなされたものであり、その目的は、チャート紙が重なった状態で送り出されたことを発見できるようにすることである。
【課題を解決するための手段】
【０００６】
本発明の記録紙の紙送り異常判定方法は、記録計により山谷交互に折畳まれた記録紙を順次送り出しながら記録を行う際に、前記記録紙の折り目が折り畳まれたままの状態で送り出されていないかどうかを判定する方法であって、予め、前記記録紙の記録面が山折りとなる折り目（以下、山折の折り目という）の間の領域の一つおきに、当該領域の、前記記録紙の送り方向全長に亘るマークを記しておき、前記記録計により送り出される前記記録紙の山折の折り目を挟んだ紙面の両方において前記マークが確認される場合及び前記両方において前記マークが確認されない場合に、前記記録紙の折り目が折り畳まれたままの状態で送り出されていると判定することを特徴とする。
上記の方法において、前記マークは前記記録紙の一方の側部に記されており、前記記録紙の他方の側部には、前記一方の側部に前記マークが記されていない領域において、当該領域の、前記記録紙の送り方向全長に亘る他のマークを記しておいてもよい。
【０００７】
また、本発明の記録紙の紙送り異常判定方法は、記録計により山谷交互に折畳まれた記録紙を順次送り出しながら記録を行う際に、前記記録紙の折り目が折り畳まれたままの状態で送り出されていないかどうかを判定する方法であって、予め、前記記録紙の記録面が山折となる折り目（以下、山折の折り目という）の一つおきに、当該山折の折り目を挟んだ両側の紙面にマークを記しておき、前記記録計により送り出される前記記録紙の山折の折り目を挟んだ紙面の何れか一方において前記マークが確認される場合に、前記記録紙の折り目が折り畳まれたままの状態で送り出されていると判定することを特徴とする。
【０００８】
また、本発明の記録紙は、山谷交互に折畳まれ、記録計により順次送り出しながら記録される記録紙であって、山折の折り目の間の領域の一つおきに、当該領域の、前記記録紙の送り方向全長に亘るマークが記されていることを特徴とする。
また、本発明の記録紙は、山谷交互に折畳まれ、記録計により順次送り出しながら記録される記録紙であって、前記記録紙の山折の折り目の一つおきに、当該山折の折り目を挟んだ両側の紙面にマークが記されていることを特徴とする。
【発明の効果】
【０００９】
本発明によれば、予め、山折の折り目の間に一つ置きに、この山折の折り目の間に亘って帯状のマークが記した場合には、記録紙が折り畳まれていると、記録紙の山折の折り目を挟んだ紙面の両方において前記マークが確認され、予め、山折の折り目に一つ置きに、この山折の折り目を挟んだ両側の紙面にマークを記した場合には、記録紙が折り畳まれていると、記録紙の山折の折り目を挟んだ紙面の何れか一方においてマークが確認される。このため、これに基づき記録紙の重なりの有無を判定することができる。
【発明を実施するための最良の形態】
【００１０】
以下、本発明の記録紙の紙送り異常判定方法の一実施形態を図面を参照しながら、詳細に説明する。
図１及び図２は、記録計１０を示し、図１は斜視図、図２は鉛直断面図である。また、図３は、本実施形態のチャート紙１２０を示し、（Ａ）は折り目を伸ばした状態を示す正面図、（Ｂ）は折り畳んだ状態を示す斜視図である。
記録計１０は、例えば、発電所の制御操作盤などに設けられ、発電設備の温度や圧力、発電量などの時間ごとの物理量の対応する電気信号が入力され、この物理量をチャート紙１２０に記録する装置である。図１及び図２に示すように、記録計１０は、ケース１１内に設けられた未記録チャート紙収容部１５と、ドラム１２と、記録部１４と、チャート紙抑え部材１３と、記録済みチャート紙収容部１６とを備える。
【００１１】
未記録チャート紙収容部１５は、断面Ｌ字型に折り曲げられた部材１５Ａにより構成され、記録部１４による記録が行われていない状態のチャート紙１２０が山谷交互に折り畳まれた状態で収納されている。
【００１２】
ドラム１２は、円筒状の部材からなり、その両端部にチャート紙１２０の両側部に設けられた開口２０Ａに係合可能な歯１２Ａが設けられている。ドラム１２は、所定の速度で図２において反時計回りに回転することにより、チャート紙１２０を未記録チャート紙収容部１５から、記録済みチャート紙収容部１６へと一定の速度で送り出す。
【００１３】
記録部１４は、ペン１４Ｂと、ペン１４Ｂを水平方向に移動させる水平移動機構１４Ａとからなる。記録部１４には、発電設備の温度や圧力、発電量などの時間ごとの物理量の対応する電気信号が入力されており、水平移動機構１４Ａがこの電気信号に応じてペン１４Ｂを水平方向に移動させる。上記のようにチャート紙１２０が一定の速度で移動するため、チャート紙１２０には物理量の時系列グラフが記録されることとなる。
【００１４】
チャート紙抑え部材１３は、ドラム１２の近傍に配置され、ドラム１２とともに記録部１４により記録が行われたチャート紙１２０を挟持し、チャート紙１２０を記録済みチャート紙収容部１６へと案内する。
【００１５】
記録済みチャート紙収容部１６は、未記録チャート紙収容部１５と同様に、断面Ｌ字型に折り曲げられた部材１６Ａにより構成され、記録部１４によりデータが記録されたチャート紙１２０が折り畳まれて収容される。
【００１６】
ケース１１の記録済みチャート紙収容部１６側（図２における左側）には開口１１Ａが設けられており、外部から開口１１Ａを通して記録済みのチャート紙１２０を観察したり、取り出したりすることができる。
【００１７】
ここで、従来技術の欄に記載したように、未記録チャート紙収容部１５からチャート紙１２０が重なった状態で送り出されてしまうことがあるが、このように重なったチャート紙１２０は、紙面同士が密着してしまうので発見することが難しいという問題があった。
【００１８】
そこで、本実施形態では、図３に示すように、チャート紙１２０の両側部に、交互に、隣接する記録面が山折になる折り目（以下、山折の折り目という）同士の間に亘って、帯状のマーク１２１Ａ，１２１Ｂを記すこととした。なお、マーク１２１Ａ、１２１Ｂとしては彩色を施すなど適宜な方法を選択すればよい。かかる構成により、連続する山折の折り目において、図３における折り目の上方（チャート紙が送られる方向）では右側にマーク１２１Ｂが、下方では左側にマーク１２１Ａが記された山折の折り目（パターンＡ）と、折り目の上部では左側にマーク１２１Ａが記され、下部では右側にマーク１２１Ｂが記された山折の折り目（パターンＢ）とが交互に並ぶこととなる。
【００１９】
図４は、上記のチャート紙１２０を用いて記録を行う際に、通常に、紙送りがされた場合の様子を示す図である。同図に示すように、通常に紙送りがされた場合には、山折の折り目Ｆにおいて、上記のパターンＡ又はパターンＢが観察されることになる。すなわち、折り畳まれる前の状態のチャート紙１２０の山折の折り目Ｆを境に、チャート紙１２０の左右異なる側にマーク１２１Ａ，１２１Ｂが記されている状態を観察することができる。
【００２０】
図５は、上記のチャート紙１２０を用いて記録を行う際に、チャート紙１２０の折り目が折り畳まれた状態で送り出され、チャート紙１２０に重なりが生じた（すなわち、谷折の折り目の両側の紙面が密着した）場合の様子を示す図である。同図に示すように、チャート紙１２０に重なり（同図に示すＸ部）が生じると、図３に示すパターンＡ及びパターンＢの山折の折り目が重なることとなり（図５では上側のパターンＡの折り目と、下側のパターンＢの折り目とが重なっている）、山折の折り目Ｆ´の上下の紙面において異なるマークが観察されることとなる。すなわち、図５の場合では、山折の折り目Ｆ´の上側にはパターンＡのマーク１２１Ａが記された側の面が現れ、下側にはパターンＢのマーク１２１Ａの記された側の面が現れ、山折の折り目Ｆ´の上下でマーク１２１Ａが連続している状態が観察されることとなる。このため、山折の折り目の上下におけるマーク１２１Ａ，１２１Ｂを観察することで、チャート紙１２０の重なりの有無を判定することができる。
【００２１】
本実施形態によれば、チャート紙１２０の山折の折り目の間に亘って、両側部に交互に、帯状のマーク１２１Ａ、１２１Ｂを記すことにより、このマーク１２１Ａ，１２１Ｂが山折の折り目を境に異なる側に観察されるか、同じ側に観察されるかに基づいて、チャート紙１２０の重なりの有無を判定することができる。
【００２２】
また、チャート紙１２０に帯状のマーク１２１Ａ，１２１Ｂを記すだけでよいので、既存の記録計１０でも用いることができる。
【００２３】
なお、本実施形態では、チャート紙１２０の両側にマーク１２１Ａ，１２１Ｂを記すこととしたが、これに限らず、一方のみに記すこととしてもよい。
【００２４】
また、本実施形態では、チャート紙１２０の山折の折り目同士の間に亘って、帯状のマーク１２１Ａ，１２１Ｂを記すこととしたが、マークの記し方はこれに限られない。
【００２５】
図６は第２実施形態のチャート紙２２０を示す図である。同図に示すように、チャート紙２２０の両側部に、左右交互に、山折の折り目を跨ぐように、帯状のマーク２２１Ａ，２２１Ｂを記すこととしてもよい。なお、図６に示す例では、連続する谷折の折り目の間に亘って帯状のマーク２２１Ａ，２２１Ｂを記しているが、少なくとも山折の折り目を跨ぐように、記されていればよい。また、本実施例においても、チャート紙２２０の両側に記された帯状のマーク２２１Ａ，２２１Ｂのうち何れか一方を省略することも可能である。
【００２６】
このようなチャート紙２２０を用いた場合に、通常に、紙送りがされると、図７に示すように、山折の折り目Ｆとして図６におけるパターンＡ又はパターンＢが観察される。すなわち、山折の折り目Ｆの上下の紙面に亘って、チャート紙２２０の左右何れか一方の側にマーク２２１Ａ，２２１Ｂが記されている状態が観察されることとなる。
【００２７】
これに対して、チャート紙２２０に重なりが生じた場合には、図８に示すように、山折の折り目の上下の紙面で異なるパターンが観察される。すなわち、山折の折り目Ｆ´の上下の紙面において、左右異なる側にマーク２２１Ａ，２２１Ｂが記されている状態が観察されることとなる。このように、第２実施形態のチャート紙２２０によっても、チャート紙２２０の山折の折り目の上下の紙面のマークの記されている位置に基づき、重なりの有無を判定することができる。
【図面の簡単な説明】
【００２８】
【図１】記録計を示す斜視図である。
【図２】記録計を示す鉛直断面図である。
【図３】第１実施形態のチャート紙を示し、（Ａ）は折り目を伸ばした状態を示す正面図、（Ｂ）は折り畳んだ状態を示す斜視図である。
【図４】第１実施形態のチャート紙を用いて記録を行う際に、通常に、紙送りがされた場合の様子を示す図である。
【図５】第１実施形態のチャート紙を用いて記録を行う際に、折り畳まれた状態で紙送りがされた場合の様子を示す図である。
【図６】第２実施形態のチャート紙を示し、（Ａ）は折り目を伸ばした状態を示す正面図、（Ｂ）は折り畳んだ状態を示す斜視図である。
【図７】第２実施形態のチャート紙を用いて記録を行う際に、通常に、紙送りがされた場合の様子を示す図である。
【図８】第２実施形態のチャート紙を用いて記録を行う際に、折り畳まれた状態で紙送りがされた場合の様子を示す図である。
【図９】従来用いられていたチャート紙を示し、（Ａ）は折り目を伸ばした状態を示す正面図、（Ｂ）は折り畳んだ状態を示す斜視図である。
【符号の説明】
【００２９】
１０  記録計
１１  ケース
１２  ドラム
１３  チャート紙抑え部材
１４  記録部
１５  未記録チャート紙収容部
１６  記録済みチャート紙収容部
１２０、２２０  チャート紙
１２１Ａ，１２１Ｂ、２２１Ａ、２２１Ｂ  マーク
【図１】
2010091344.tif 000003
【図２】
2010091344.tif 000004
【図９】
2010091344.tif 000005
【図３】
2010091344.tif 000006
【図４】
2010091344.tif 000007
【図５】
2010091344.tif 000008
【図６】
2010091344.tif 000009
【図７】
2010091344.tif 000010
【図８】
2010091344.tif 000011